(57)【要約】【課題】微細粉末状に粉砕された遺骨を収容した状態で、残余分が残らないように所定量ずつ円滑に排出する遺骨粉末供給装置を提供する。【解決手段】微細粉末状の遺骨を収容するように漏斗形に形成されたホッパー；前記開閉蓋の中心を貫いて設置され、パネル型ブレード及び螺旋形ブレードが形成された回転軸；前記回転軸を回転させるためのモーター；及び前記排出口を開閉するための開閉バルブ；を含む。【選択図】図１
2009195674.tif 000002
【特許請求の範囲】
【請求項１】
遺骨を密封包装するために、供給される容器に微細粉末状の遺骨を供給するための遺骨粉末供給装置において、
微細粉末状の遺骨を収容するように漏斗形に形成され、その中心下部に円筒形排出口が形成され、上部に開閉蓋が形成されたホッパー；
前記開閉蓋の中心を貫いてその下部に結合され、前記ホッパーの内部の傾斜面と密着した状態で回転して、収容された遺骨を排出口に案内するためのパネル型ブレード、及び前記排出口を通して遺骨を徐々に押し出すための螺旋形ブレードが形成された回転軸；
前記開閉蓋の中心上側に結合され、前記回転軸を回転させるように形成されたモーター；及び
前記ホッパーの排出口下端を開閉するように形成された開閉バルブ；を含んでなることを特徴とする、遺骨粉末供給装置。
【請求項２】
前記開閉バルブは、排出口の下端に結合され、その中心には前記排出口と連通する貫通孔が形成され、一側には前記貫通孔を横方向に横切るようにスライド溝が形成されたバルブブロック；
前記バルブブロックのスライド溝に結合され、前進及び後進によって貫通孔を開閉するための開閉板；及び
前記開閉板を前後に作動させるためのシリンダー；を含んでなることを特徴とする、請求項１に記載の遺骨粉末供給装置。
【請求項３】
開閉バルブの下部に結合固定され、前記排出口と連通する補助排出口；
前記補助排出口の外面をカバーするように設置される引出管；及び
前記引出管の外面を固定したままで、シリンダーの作動によって昇降して引出管の距離を調節するための昇降ブロック；を含んでなることを特徴とする、請求項１または２に記載の遺骨粉末供給装置。
【発明の詳細な説明】
【技術分野】
【０００１】
本発明は粉砕された遺骨を供給するための装置に係り、より詳しくは微細粉末状に粉砕された遺骨を収容した状態で、残余分が残らないように所定量ずつ円滑に排出するための遺骨粉末供給装置に関するものである。
【背景技術】
【０００２】
一般に、死体を火葬した後には、その遺骨を粉碎した後、納骨容器に入れて納骨堂または納骨墓に保管することになる。
【０００３】
ここで、前記遺骨を微細粉末状に粉碎し、その内部に含まれた湿気をすっかり除去した後、合成樹脂容器と合成樹脂蓋に入れて熱融着で密封する技術が知られている。
【０００４】
この際、前記遺骨を微細粉末状に粉碎した状態でホッパーに収容した後、密封包装するための合成樹脂容器に所定量ずつ排出する場合、前記粉末状の遺骨がホッパーの内面にくっついて残余分が残っているか、あるいは粉末状の遺骨が排出口から容器に落ちる過程で一部飛散することにより、損失が発生する問題がある。
【発明の開示】
【発明が解決しようとする課題】
【０００５】
したがって、本発明は、微細粉末状に粉砕された遺骨を収容した状態で、残余分が残らないように、所定量ずつ円滑に排出する遺骨粉末供給装置を提供することにその目的がある。
【０００６】
また、本発明は、微細粉末状に粉砕された遺骨を密封容器に排出するとき、飛散しないように近接して排出するようにする遺骨粉末供給装置を提供することに他の目的がある。
【課題を解決するための手段】
【０００７】
前記目的を達成するために、本発明は、遺骨を密封包装するために、供給される容器に微細粉末状の遺骨を供給するための遺骨粉末供給装置において、微細粉末状の遺骨を収容するように漏斗形に形成され、その中心下部に円筒形排出口が形成され、上部に開閉蓋が形成されたホッパー；前記開閉蓋の中心を貫いてその下部に結合され、前記ホッパーの内部の傾斜面と密着した状態で回転しながら収容された遺骨を排出口に案内するためのパネル型ブレード、及び前記排出口を通して遺骨を徐々に押し出すための螺旋形ブレードが形成された回転軸；前記開閉蓋の中心上側に結合され、前記回転軸を回転させるように形成されたモーター；及び前記ホッパーの排出口下端を開閉するように形成された開閉バルブ；を含んでなる。
【０００８】
前記開閉バルブは、排出口の下端に結合され、その中心には前記排出口と連通する貫通孔が形成され、一側には前記貫通孔を横方向に横切るようにスライド溝が形成されたバルブブロック；前記ブロックのスライド溝に結合され、前進及び後進によって貫通孔を開閉するための開閉板；及び前記開閉板を前後に作動させるためのシリンダー；を含むことができる。
【０００９】
開閉バルブの下部に結合固定され、前記排出口と連通する補助排出口；前記補助排出口の外面をカバーするように設置された引出管；及び前記引出管の外面を固定し、シリンダーの作動によって昇降しながら引出管の距離を調節するための昇降ブロック；を含むことができる。
【発明の効果】
【００１０】
本発明の遺骨粉末供給装置によれば、パネル型ブレード及び螺旋形ブレードが形成された回転軸によって、微細粉末状に粉砕された遺骨の残余分が残らないようにするとともに、所定量ずつ円滑に排出することができるので、製品の信頼性が大きく向上する非常に有用な効果が発揮される。
【００１１】
また、本発明の遺骨粉末供給装置によれば、補助排出口と引出管をによって、微細粉末状に粉砕された遺骨を密封容器に排出するとき、遺骨が飛散して損失されることを防止するので、製品の信頼性が大きく向上する非常に有用な効果が発揮される。
【発明を実施するための最良の形態】
【００１２】
以下、本発明の好適な実施例を添付図面に基づいて詳細に説明する。
【００１３】
図１は本発明が適用された遺骨粉末供給装置を示す斜視図、図２は本発明が適用された遺骨粉末供給装置を示す正面図、図３は本発明が適用された遺骨粉末供給装置を示す側面図、図４は本発明が適用された遺骨粉末供給装置を示す正断面図、図５は本発明が適用された遺骨粉末供給装置を示す側断面図、図６は本発明が適用された遺骨粉末供給装置を示す作動状態図である。
【００１４】
本発明の遺骨粉末供給装置は、図１〜図６に示すように、大別して、微細粉末状の遺骨を収容するように漏斗形に形成されたホッパー１００、前記開閉蓋の中心を貫いて設置され、パネル型ブレード及び螺旋形ブレードが形成された回転軸２００、前記回転軸を回転させるためのモーター３００、及び前記排出口を開閉するための開閉バルブ４００を含んでなる。
【００１５】
前記ホッパー１００は、微細粉末状の遺骨を収容するように漏斗形に形成され、その中心下部に円筒形排出口１２０が形成され、上部に開閉蓋１４０が形成される。すなわち、前記ホッパー１００は、その内部に収容された微細粉末状の遺骨が自重によって排出口１２０に落ちるように形成されたものである。一方、前記開閉蓋１４０は、図１に示すように、一側がヒンジで結合されることにより、全体を分離しなくてもホッパーの内部に遺骨を収容できるようにする。
【００１６】
前記回転軸２００は、前記開閉蓋１４０の中心を貫いてその下部に結合されるもので、図４及び図５に示すように、前記ホッパー１００の内部の傾斜面と密着した状態で回転しながら、収容された微細粉末状の遺骨を排出口１２０に案内するためのパネル型ブレード２２０と、前記排出口１２０を通して遺骨を徐々に押し出すための螺旋形ブレード２４０とを含む。すなわち、一つの回転軸２００に機能の異なる二つのブレードを備えることで、微細粉末状に粉砕された遺骨がホッパー１００にくっついて残っているか、排出口１２０に残っていることを防止することができる。
【００１７】
前記モーター３００は、前記開閉蓋１４０の中心上側に結合され、前記回転軸２００を回転させるように形成される。したがって、このようなモーター３００は回転軸２００と同心上に形成するか、あるいは直角に形成することができる。
【００１８】
前記開閉バルブ４００は、前記ホッパー１００の排出口１２０の下端を開閉するように形成される。その好適な実施例は図面に示すようである。すなわち、前記開閉バルブ４００は排出口１２０の下端に結合され、その中心には、前記排出口１２０と連通する貫通孔が形成され、一側には前記貫通孔を横方向に横切るようにスライド溝が形成されたバルブブロック４２０が設けられる。この際、前記バルブブロック４２０のスライド溝には、挟支されたままで前進と後進によって貫通孔を開閉するための開閉板４４０が設けられ、前記開閉板４４０は、シリンダー４６０によって前後に作動される。
【００１９】
一方、本発明は、前記開閉バルブ４００によって排出口１２０を開閉するときに落ちる粉末状の遺骨を合成樹脂容器１０の内部に近くに排出するための構成を含む。すなわち、図６に示すように、前記開閉バルブ４００の下部に結合固定され、前記排出口１２０と連通する補助排出口５００を形成する一方、前記補助排出口５００の外面をカバーするように設置された引出管５２０、及び前記引出管５２０の外面を固定した状態で、シリンダー５６０の作動によって昇降して引出管５２０の距離を調節するための昇降ブロック５４０を含む。
【００２０】
したがって、このような構成によれば、まず、ホッパー１００の内部に微細粉末状の遺骨を収容した状態でモーター３００を回転させれば、前記ホッパー１００の内部の回転軸２００が回転し、パネル形のブレード２２０及び螺旋形のブレード２４０が回転して排出口１２０に排出させる。
【００２１】
この際、前記排出口１２０を通しての遺骨の排出は開閉バルブ４００によってなされる。特に、開閉バルブ４００による排出に先立ち、昇降ブロック５４０を下降させて、補助排出管５００に結合された引出管５２０が合成樹脂容器１０の内部に近接するようにする。もちろん、前記引出管５２０は、前記開閉バルブ４００が閉まれば、再び上昇することにより、合成樹脂容器１０が次の工程に移動するようにする。
【００２２】
以上説明したように、本発明は図面に示した実施例に基づいて説明したが、これは例示のためのものに過ぎなく、当該技術分野で通常の知識を持った者であれば、これから多様な変形及び均等の実施例が可能であることが理解可能であろう。したがって、本発明の真正な技術的保護範囲は請求範囲の技術的思想によって決められなければならない。
【産業上の利用可能性】
【００２３】
本発明は、粉砕された遺骨を供給する装置に適用可能である。
【図面の簡単な説明】
【００２４】
【図１】本発明が適用された遺骨粉末供給装置を示す斜視図である。
【図２】本発明が適用された遺骨粉末供給装置を示す正面図である。
【図３】本発明が適用された遺骨粉末供給装置を示す側面図である。
【図４】本発明が適用された遺骨粉末供給装置を示す正断面図である。
【図５】本発明が適用された遺骨粉末供給装置を示す側断面図である。
【図６】本発明が適用された遺骨粉末供給装置を示す作動状態図である。
【符号の説明】
【００２５】
１０      合成樹脂容器
１００    ホッパー
１２０    排出口
１４０    開閉蓋
２００    回転軸
２２０    パネル型ブレード
２４０    螺旋形ブレード
３００    モーター
４００    開閉バルブ
４２０    バルブブロック
４４０    開閉板
４６０    シリンダー
５００    補助排出口
５２０    引出管
５４０    昇降ブロック
５６０    シリンダー
【図１】
2009195674.tif 000003
【図２】
2009195674.tif 000004
【図３】
2009195674.tif 000005
【図４】
2009195674.tif 000006
【図５】
2009195674.tif 000007
【図６】
2009195674.tif 000008